(57)【特許請求の範囲】
【請求項１】
一端がＩＣカードのソケットコンタクトに嵌入されると共に他端がプリント配線基板の回路端子に接続される複数のピンコンタクトが植設されると共に、前記ＩＣカードの挿入ガイド部が形成され、かつ前記プリント配線基板にねじ止め等により装着する係止部を備えたＰＣカード用コネクタにおいて、
前記ＩＣカードの挿入ガイド部にＩＣカードの挿拔に連動して移動するよう設けられた抜取り用爪部を有するスライダーと、
該ＰＣカード用コネクタの一方の側辺に第１と第２の係合溝が形成されると共に、復帰用ばね嵌合部を有し、かつその前後方向への移動が規制されるように設けられたストッパー部とを備えたイジェクトアームと、
一端が前記ＰＣカード用コネクタの他方の側辺に回動可能にかつ復帰方向にテンションが与えるばねを有して固定され、他端側に前記イジェクトアームの第１の係合溝に係合する係合部が形成され、かつその中間部にＩＣカード挿入端による駆動当接部を有する第１のアームバーと、
一端が前記ＰＣカード用コネクタの他方の側辺に回動可能に固定され、他端側に前記イジェクトアームの第２の係合溝に係合する係合部が形成され、かつその中間部に前記スライダーをＩＣカードの挿拔方向に移動させる係合部を有する第２のアームバーと、
前記イジェクトアームの復帰用ばね嵌合部に該イジェクトアームを復帰方向にテンションが与えるように設けられたコイルばねと、
前記ＩＣカードのＰＣカード用コネクタへの挿入状態において、その一端により前記イジェクトアームの復帰を規制すると共に、他端の操作によってその規制を解除し得るように中間部を支点として回動可能に設けられた操作板と、
前記ＰＣカード用コネクタの一方の側辺に、ＩＣカードの挿入による前記第１のアームバーの移動時に、該第１のアームバーの係合部が前記イジェクトアームの第１の係合溝から外れるように設けられた係合解除用突出部とを備えたことを特徴とするＰＣカード用コネクタ。
【発明の詳細な説明】
【０００１】
【発明の属する技術分野】
本発明は一端がＩＣカードのソケットコンタクトに嵌入される端子部を有し、他端がプリント配線基板の回路端子に接続される複数のピンコンタクトが植設され、かつ端子部側にはＩＣカードの挿入ガイド部が形成されると共に、前記プリント配線基板にねじ止め等により装着する係止部を備えたＰＣカード用コネクタに関するものである。
【０００２】
【従来の技術】
前述したＰＣカード用コネクタのピンコネクタ１の従来例を図７〜図９に示す。図７において２はコネクタのフレームで、その中央連結部３にピンコンタクト４，５が２段にそれぞれ複数個植設されている。また、フレーム２の両側のガイド部６のＩＣカード７の挿入側にはガイド溝８がそれぞれ設けられ、その反対側の係止部６１には図示しないプリント配線基板にフレーム２をねじ或いはロックピン等で装着，固定するための取付孔９がそれぞれ設けられている。フレーム２の中央連結部３に植設されている複数のピンコンタクト４，５の一端は、ＩＣカード７のソケットコンタクト１０に挿入し得ようにそれぞれ突出しており、その他端はプリント配線基板の回路端子に接続されるように、略９０°折曲げられて、フレーム２の底面より若干突出するように設けられている。
【０００３】
図８は、ピンコネクタ１にＩＣカード７が装着された状態を示す図７のＡ−Ａ部断面図で、ピンコンタクト４，５の一端である突出部が、ＩＣカード７のソケットコンタクト１０に挿入され回路接続が行われるものである。
図９は、ピンコネクタ１のピンコンタクト４，５に装着されたＩＣカード７を抜き取る機構を示した一部を切欠した上面図で、ガイド部６の一方の側辺には、操作ボタン１１に結合されたガイドフォーク１２が挿拔方向に移動可能に設けられており、ガイドフォーク１２の他方先端部にはスライドアーム１３の一端部が連結されている。スライドアーム１３は、その中間部に支点軸１４が設けられていて、回動するようになっている。また、スライドアーム１３の他端部に設けられた連結ピン１５とスライダー１６の連結孔１７との自由結合によって、スライドアーム１３とスライダー１６は連結されていて、スライドアーム１３の回動動作により、スライダー１６はそのガイド孔１８，１９がフレーム２に設けられたガイドピン２０とガイドピン兼用の支点軸１４に案内されて、ＩＣカード７の挿拔方向に移動動作するようになっている。
【０００４】
なお、２１はコイルばねで、操作ボタン１１を常に不動作状態であるＡ方向に復帰させるテンションを掛けている。また、２２，２３はスライダー１６の奥側端部に起立するように設けられているＩＣカード７の抜取り用爪部である。
次に、この機構の動作について説明する。ＩＣカード７をピンコネクタ１に装着された状態からＩＣカード７を抜き取る場合は、操作ボタン１１をＢ方向に押圧することによって、ガイドフォーク１２を介してスライドアーム１３が支点軸１４を中心にＣ方向に回動し、スライドアーム１３に連結されているスライダー１６はＤ方向に移動させられる。従って、スライダー１６の抜取り用爪部２２，２３がＩＣカード７の挿入側端部を押すことになり、ＩＣカード７はピンコネクタ１から抜き取ることができる。
【０００５】
【発明が解決しようとする課題】
しかしながら、前述した従来のＩＣカード７の抜取り機構は、ピンコネクタ１のピンコンタクト４，５の本数にもよるが、操作ボタン１１の押圧力は６０ピン（？）程度の場合で約２ｋｇ程度を必要とするため、最近のように小型軽量化が進んだ電子機器においては、それらの電子機器を充分に押さえ付けた状態で操作ボタン１１を押す必要があり、電子機器を操作ボタン１１の押圧力に十分に耐え得るよう頑丈に設計する必要があると共に、操作性が悪いなどの問題があった。本発明は、操作ボタンを極めて軽いタッチの操作によって作動し得るようにして、操作性の向上と電子機器の小型軽量化の促進が図られるＰＣカード用コネクタを提供するものである。
【０００６】
【課題を解決するための手段】
本発明によるＰＣカード用コネクタは、一端がＩＣカードのソケットコンタクトに嵌入されると共に他端がプリント配線基板の回路端子に接続される複数のピンコンタクトが植設されると共に、前記ＩＣカードの挿入ガイド部が形成され、かつ前記プリント配線基板にねじ止め等により装着する係止部を備えたＰＣカード用コネクタにおいて、
前記ＩＣカードの挿入ガイド部にＩＣカードの挿拔に連動して移動するよう設けられた抜取り用爪部を有するスライダーと、該ＰＣカード用コネクタの一方の側辺に第１と第２の係合溝が形成されると共に、復帰用ばね嵌合部を有し、かつその前後方向への移動が規制されるように設けられたストッパー部とを備えたイジェクトアームと、一端が前記ＰＣカード用コネクタの他方の側辺に回動可能にかつ復帰方向にテンションが与えるばねを有して固定され、他端側に前記イジェクトアームの第１の係合溝に係合する係合部が形成され、かつその中間部にＩＣカード挿入端による駆動当接部を有する第１のアームバーと、一端が前記ＰＣカード用コネクタの他方の側辺に回動可能に固定され、他端側に前記イジェクトアームの第２の係合溝に係合する係合部が形成され、かつその中間部に前記スライダーをＩＣカードの挿拔方向に移動させる係合部を有する第２のアームバーと、前記イジェクトアームの復帰用ばね嵌合部に該イジェクトアームを復帰方向にテンションが与えるように設けられたコイルばねと、前記ＩＣカードのＰＣカード用コネクタへの挿入状態において、その一端により前記イジェクトアームの復帰を規制すると共に、他端の操作によってその規制を解除し得るように中間部を支点として回動可能に設けられた操作板と、前記ＰＣカード用コネクタの一方の側辺に、ＩＣカードの挿入による前記第１のアームバーの移動時に、該第１のアームバーの係合部が前記イジェクトアームの第１の係合溝から外れるように設けられた係合解除用突出部とを備えたものである。
【０００７】
【発明の実施の形態】
図１は、本発明によるＰＣカード用コネクタの一実施例を示す斜視図である。ただし、図面の繁雑さを緩和するために、前述した図４及び図５に示した複数のピンコンタクト４，５を省略すると共に、コネクタの一方の側辺の内部を透視した状態で表してある。また、図２は、図１の説明の理解を補うために、主要構成部品を分解して斜視図として示してある。
図１において、３２はピンコネクタ３１のフレーム、３３はフレーム３２に設けられたＩＣカードガイド溝、３４はフレーム３２の底板３５の上面にＩＣカードの挿拔方向に移動可能に設けられたスライダーで、フレーム３２の底板３５に設けられているガイド孔３６に係合する案内片３７及びＩＣカードの抜取り時のＩＣカードの抜取り用爪部３８，３８並びに後述する第２のアームバー３９の係合孔４０に係合する係合突起４１が設けられている。なお、スライダー３４は、フレーム３２の構造によりフレーム３２から外れない構造になっている。
【０００８】
４２はフレーム３２の側辺の内部がくり抜かれた空間に配置されたイジェクトアームで、その長手方向にある範囲で移動可能に設けられているものである。このイジェクトアーム４２の中間部には、浅めの第１の係合溝４３と深めの第２の係合溝４４が設けられ、またその一端部にはコイルばね４５が装着されるコイルばね装着部４６が、他端部には切込部４７が設けられている。４８は第１のアームバーで、その一端部に設けられた軸穴４９がフレーム３２の他方の側辺に設けられた軸５０により軸支され、軸５０を支点として回動し得ると共に、軸５０と第１のアームバー４８との間に設けられたうず巻きばね５１によりＥ方向にテンションが掛けられている。また第１のアームバー４８の他端部は、クランク状に下側に折り曲げられていて、ＩＣカードの未装着状態では、その端部５２はイジェクトアーム４２の第１の係合溝４３に係合している。また、第１のアームバー４８の中間部には、ＩＣカード挿入時にＩＣカード挿入端が当接する駆動当接部５３が設けられている。
【０００９】
なお、第１のアームバー４８がイジェクトアーム４２の第１の係合溝４３に係合されるために、フレーム３２にはくり抜き部と連通する連通孔５４が設けられている。この側辺のくり抜き部とイジェクトアーム４２，第１のアームバー４８及びコイルばね４５との構造関係は、図３及び図４に示す模式的斜視図のようになっている。即ち、フレーム３２は適宜箇所で組立可能に分離され得るようになっており、イジェクトアーム４２及びコイルばね４５が移動又は圧縮可能に挿入されるくり抜き穴５５が設けられている。また５６は結合用アームで、アーム装着溝５７に嵌合するように設けられている。図４は図３の一部拡大図である。
また、フレーム３２に設けられた連通孔５４の近傍には、第１のアームバー４８の端部５２が第１の係合溝４３から外れてその係合を解除させる軽斜面を有する係合解除用突出部５８が設けられている。
【００１０】
３９は前述した第２のアームバーで、その平坦部はフレーム３２の底板３５とスライダー３４との間に配置され、その一端部に設けられている軸穴５９は、底板３５に設けられている軸６０により軸支され、軸６０を支点として回動し得るようになっている。また第２のアームバー３９の他端部は、クランク状に上側に折り曲げられていて、その端部６１はイジェクトアーム４２の第２の係合溝４４に係合している。
６２は上下方向に作動する操作板で、その中間部に設けられている支点軸挿通孔６３にフレーム３２により支持された軸６４が挿入され、かつ図５に示されるようにうず巻きばね６５により、操作板６２はＦ方向にテンションが掛けられている。そして操作板６２の支持部６６は、ＩＣカードの未装着状態では、イジェクトアーム４２の切込部４７と係合するようになっている。なお、操作板６２のフレーム３２への装着構造は、例えば図５に示すようになっている。即ち、フレーム３２に操作板６２が装着される軸受部６７を有するくり抜き部６８を設け、軸６４にうず巻きばね６５を取付けて操作板６２の支点軸挿通孔６３に嵌入して軸受部６７に嵌着した後、蓋体６９を上方より装着するようにしてある。また、７０はイジェクトアーム４２が装着されるくり抜き部の一部である。
【００１１】
次に、本発明のＰＣカード用コネクタに図示してないＩＣカードを挿入する場合と、ＩＣカードを抜き取る場合の動作を図１及び図６に基づいて説明する。なお、図６（ａ）は図１と同様にＩＣカードが装着されていない状態であり、図６（ｂ）はＩＣカードが装着されている状態を示している。
先ず、ＩＣカードをフレーム３２にそのガイド溝３３に沿って挿入して行くと、その先端部で第１のアームバー４８の駆動当接部５３をＩＣカード挿入方向に押される。従って、第１のアームバー４８の端部５２でイジェクトアーム４２がＧ方向に移動させられ、それと共にイジェクトアーム４２の第２の係合溝４４に係合している第２のアームバー３９の端部６１が同方向に移動する。この移動により、第２のアームバー３９は軸６０を支点として回動し、アームバー３９の係合孔４０と係合関係にあるスライダー３４の係合突起４１により、スライダー３４はＨ方向に移動する。
【００１２】
ＩＣカードを更に挿入してイジェクトアーム４２をＧ方向に移動すると、第１のアームバー４８はフレーム３２に設けられている突出部５８の斜面で徐々に押し上げられ、突出部５８に乗り上げる少し手前でその端部５２はイジェクトアーム４２の第１の係合溝４３から外れる。この第１のアームバー４８が外れる直前に、イジェクトアーム４２の切込部４７に位置していた操作板６２の支持部６６は、うず巻ばね６５の作用により下方にテンションが掛けられているため、その切込部４７から外れて後端部７１に落ち込み、イジェクトアーム４２の復帰を阻止している。また、スライダー３４もＨ方向に移動し、第１のアームバー４８がイジェクトアーム４２の第１の係合溝４３から外れる時点でその移動を停止するが、そのＩＣカード排出用爪部３８，３８はＩＣカードの挿入端と丁度一致する位置か、若干奥側の離れた所に位置するようにセットされる。
【００１３】
この状態では、ピンコネクタ１のピンコンタクト４，５にＩＣカードのソケットコンタクト１０が挿入された状態となる。また、コイルばね４５は、フレーム３２のくり抜き部の段差部７２と、イジェクトアーム４２のコイルばね装着部４６のストッパー部７３とにより圧縮状態とされている。即ち、この状態がピンコネクタ１にＩＣカードが装着された状態である。
次に、ＩＣカードをピンコネクタ１から抜き取るときは、操作板６２をうず巻ばね６５の圧力に抗して下方に押して回動させ、その支持部６６をイジェクトアーム４２の後端部７１から上方に外して切込部４７の位置に戻す。この操作により、イジェクトアーム４２はコイルばね４５の圧縮復帰作用によってＩ方向に移動復帰する。
【００１４】
このイジェクトアーム４２の復帰作用により第２のアームバー３９は、軸６０を支点としてＩＣカードの挿入時と反対方向に回動してスライダー３４をＪ方向に移動させる。このときスライダー３４のＩＣカード排出用爪部３８，３８によりＩＣカードはピンコンタクト４，５から抜き取られる。この抜き取り動作は、イジェクトアーム４２の支えとなる操作板６２の支持部６６が瞬間的に外れるものであるため、コイルばね４５の圧縮復帰も瞬間的に生じることになり、装着圧力がある程度高くても抜き取りが容易に行える。
ＩＣカードが抜取られることにより第１のアームバー４８は、うず巻ばね５１の作用によりＥ方向に回動し、その端部５２はイジェクトアーム４２の第１の係合溝４３に落ち込んで係合し、元の状態に復帰する。なお、第２のアームバー３９は、フレーム３２の側辺のくり抜き穴５５に連通する図示してない連通孔を通して、くり抜き穴５５に設けられているイジェクトアーム４２の第２の係合溝４４に係合するようにしてある。
【００１５】
【発明の効果】
以上詳細に説明したように、本発明はＩＣカードをピンコネクタから抜き取る際、コイルばねなどのばねの圧縮復帰力を利用して行うものであるため、従来のように抜取り用の操作板を強く押したりすることなく、ソフトタッチの操作により抜き取ることができる。そのためＩＣカードを用いる電子機器の小型軽量化の促進に貢献するものである。
【図面の簡単な説明】
【図１】本発明によるＰＣカード用コネクタの一実施例を示す斜視図である。
【図２】図１に示したＰＣカード用コネクタの主要構成部品の斜視図である。
【図３】      本発明の主要部分の模式的斜視図である。
【図４】図３の一部拡大斜視図である。
【図５】本発明の他の主要部分の模式的斜視図である。
【図６】本発明によるＰＣカード用コネクタの側面の一部断面図である。
【図７】従来のピンコネクタとＩＣカードの一部を示す斜視図である。
【図８】図７の一部側面の断面図である。
【図９】従来のピンコネクタの一部を切欠した上面図である。
【符号の説明】
１，３１  ピンコネクタ
２，３２  フレーム
３  中央連結部
４，５  ピンコンタクト
６  ガイド部
７  ＩＣカード
８，３３  ガイド溝
９  取付孔
１０  ソケットコンタクト
１１  操作ボタン
１２  ガイドフォーク
１３  スライドアーム
１４  支点軸
１５  連結ピン
１６，３４  スライダー
１７  連結孔
１８，１９，３６  ガイド孔
２０  ガイドピン
２１，４５  コイルばね
２２，２３，３８  抜取り用爪部
３５  底板
３７  案内片
３９  第２のアームバー
４０  係合孔
４１  係合突起
４２  イジェクアーム
４３  第１の係合溝
４４  第２の係合溝
４６  コイルばね装着部
４７  切込部
４８  第１のアームバー
４９，５９  軸穴
５０，６０，６４  軸
５１，６５  うず巻ばね
５２  第１のアームバーの端部
５３  駆動当接部
５４  連通孔
５５，７０  くり抜き穴
５６  結合用アーム
５７  アーム装着溝
５８  係合解除用突起部
６１  第２のアームバーの端部
６２  操作板
６３  支点軸挿通孔
６６  支持部
６７  軸受部
６８  くり抜き部
６９  蓋体
７１  イジェクアームの後端部
７２  段差部
７３  ストッパー部
【図１】
0003720138.tif 000002
【図２】
0003720138.tif 000003
【図３】
0003720138.tif 000004
【図４】
0003720138.tif 000005
【図５】
0003720138.tif 000006
【図６】
0003720138.tif 000007
【図７】
0003720138.tif 000008
【図８】
0003720138.tif 000009
【図９】
0003720138.tif 000010